(57)【要約】【課題】ティッシュペーパーを引き出す楽しみを与え、且つ装飾価値の高いティッシュボックスカバーを提供する。【解決手段】ティッシュボックスが内部に収容されるカバー本体部2と、該カバー本体部2に固定された装飾部3から成り、カバー本体部2の上面には開口部24が設けられ、装飾部3は、装飾台4と、該装飾台4を囲む後壁体51と左右の壁体52，53、及び鏡体6とで構成され、装飾台4はカバー本体部2の上方に配置され且つティッシュペーパー8を取り出すための取出口が形成されており、後壁体51と左壁体52の組み合わせ及び後壁体51と右壁体53の組み合わせの少なくとも一組又は両組み合わせが鏡体の平面を対称面とする面対称に配置され、鏡体は装飾台4の下方に配置されて左壁体52及び／又は右壁体53の内壁を映すことのできるティッシュボックスカバー1とする。【選択図】図１
2008024319.tif 000002
【特許請求の範囲】
【請求項１】
ティッシュボックスが内部に収容されるカバー本体部と、該カバー本体部の上面に載置固定された装飾部から成り、
カバー本体部の上面には開口部が設けられ、
装飾部は、装飾台と、該装飾台を囲む後壁体と左右の壁体、及び鏡体とで構成され、装飾台はカバー本体部の上方に配置され且つティッシュペーパーを取り出すための取出口が形成されており、後壁体と左壁体の組み合わせ及び後壁体と右壁体の組み合わせの少なくとも一組又は両組み合わせが鏡体の平面を対称面とする面対称に配置され、鏡体は装飾台の下方に配置されて左壁体及び／又は右壁体の内壁を映すことを特徴とするティッシュボックスカバー。
【請求項２】
前記鏡体は、中央を前方に、両端を後方にして配置した山形であり、鏡体の右半面に右壁体の内壁を、鏡体の左半面に左壁体の内壁を映すことを特徴とする請求項１に記載のティッシュボックスカバー。
【請求項３】
前記鏡体は、直線的平面に形成され、左壁体又は右壁体の内壁を映すことを特徴とする請求項１に記載のティッシュボックスカバー。
【請求項４】
前記装飾台の下方に脚部が取り付けられていることを特徴とする請求項１乃至３のいずれかに記載のティッシュボックスカバー。
【請求項５】
前記取出口を覆うように任意の形態を模した上下に開口した装飾体が取り付けられていることを特徴とする請求項１乃至４のいずれかに記載のティッシュボックスカバー。
【発明の詳細な説明】
【技術分野】
【０００１】
本発明は、ティッシュペーパーが収容された箱体のカバーに関し、更に詳しくは、ティッシュペーパーを引き出す楽しみを与え、且つ装飾価値が高いティッシュボックスカバーに関する。
【背景技術】
【０００２】
従来、ポップアップ式に取り出すように、半分に折られたティッシュペーパーを交互に重ねた状態で収めたティッシュボックスが販売されており、このティッシュボックスを収容するティッシュボックスカバーが種々提案されている。
【０００３】
ティッシュボックスカバーは紙製のティッシュボックスを外からの衝撃から保護したり、外観を装飾してインテリア性を演出するために使用される。例えば、木製やプラスチック製の箱型のティッシュボックスカバーや、人形や動物などの形態を布などで作製しティッシュボックスを収容する部分を胴体部分に見立てたティッシュボックスカバーがあり、種類も多い。
【０００４】
その他に実用性や装飾性を高めたものとして、例えば、小物を収納するスペースや鏡、持ち手部分などを備えたティッシュボックスケースや（例えば、特許文献１参照）、側板を枠組み構造にして内部に写真やポストカードを収容できるようにしたティッシュ収納ボックスや（例えば、特許文献２参照）、ティッシュボックスケースの表面を発泡体製カバーで覆い、そこに盛花状のドライフラワーやシルクフラワーを差し込んだティッシュボックスケース（例えば、特許文献３参照）などが提案されている。
【特許文献１】特開２００６−６２６７１号公報
【特許文献２】登録実用新案公報第３０６７７５６号公報
【特許文献３】登録実用新案公報第３０２９５００号公報
【発明の開示】
【発明が解決しようとする課題】
【０００５】
上記のように様々なティッシュボックスカバーが提案されているが、従来のティッシュボックスカバーは、単に、ティッシュボックスを保護したり、装飾するために用いられており、興趣性に乏しいという問題があった。
【０００６】
本発明は、上記課題に鑑みてなされたもので、装飾価値があり、興趣性の高いティッシュボックスカバーを提供することを目的としている。
【課題を解決するための手段】
【０００７】
本発明のティッシュボックスカバーは、ティッシュボックスが内部に収容されるカバー本体部と、該カバー本体部の上面に載置固定された装飾部から成り、該カバー本体部の上面には開口部が設けられ、該装飾部は、装飾台と、該装飾台を囲む後壁体と左右の壁体、及び鏡体とで構成され、装飾台はカバー本体部の上方に配置され且つティッシュペーパーを取り出すための取出口が形成されており、後壁体と左壁体の組み合わせ及び後壁体と右壁体の組み合わせの少なくとも一組又は両組み合わせが鏡体の平面を対称面とする面対称に配置され、鏡体は装飾台の下方に配置されて左壁体及び／又は右壁体の内壁を映すことを特徴とする。
【０００８】
本発明において、前記鏡体は、中央を前方に、両端を後方にして配置した山形であり、鏡体の右半面に右壁体の内壁を、鏡体の左半面に左壁体の内壁を映すことが好ましい。
【０００９】
また、本発明において、前記鏡体は、直線的平面に形成され、左壁体又は右壁体の内壁を映しても良い。
そして、本発明のティッシュボックスカバーは、前記装飾台の下方に脚部を取り付けることが好ましい。
【００１０】
更に、本発明のティッシュボックスカバーは、前記取出口を覆うように任意の形態を模した上下に開口した装飾体を取り付けることもできる。
【発明の効果】
【００１１】
本発明によれば、ティッシュペーパーが何もない空間から取り出されるという不思議な感覚を与える興趣性の高いティッシュボックスカバーを提供することができる。
【発明を実施するための最良の形態】
【００１２】
本発明のティッシュボックスカバーは、ティッシュボックスが内部に収容されるカバー本体部と、該カバー本体部の上面に載置固定された装飾部から成り、カバー本体部の上面には開口部が設けられ、装飾部は、装飾台と、該装飾台を囲む後壁体と左右の壁体、及び鏡体とで構成され、装飾台は後壁体と左右の壁体から離すようにしてカバー本体部の上方に配置され、且つ装飾台の板面にはティッシュペーパーを取り出すための取出口が形成されており、下方には脚部を有し、鏡体は中央を前方に、両端を後方にして配置した山形であり、装飾台の下方に配置され、鏡体の鏡面と向かい合う左壁体は後壁体と鏡体の左半面を対称面とする面対称に配置されて左壁体の内壁を鏡体の左半面に映し、そして右壁体は後壁体と鏡体の右半面を対称面とする面対称に配置されて右壁体の内壁を鏡体の右半面に映す。
【実施例】
【００１３】
以下、本発明のティッシュボックスカバーの実施形態について図面に基づき、詳細に説明する。尚、本発明は下記実施形態になんら制限されるものではない。
図１は、本発明の第１実施形態のティッシュボックスカバーの斜視図であり、図２は、図１のティッシュボックスカバーの中央部分の縦断面図である。図３は、図１のティッシュボックスカバーの装飾部の構成を示す図であり、図４は、図１のティッシュボックスカバーの装飾部の水平断面図である。図５は本発明の第２実施形態のティッシュボックスカバーの斜視図である。
【００１４】
図１に示すように、本発明のティッシュボックスカバー1はティッシュペーパー8が収容されたティッシュボックスを内部に収容するカバー本体部2と該カバー本体部2の上面に載置固定された装飾部3から成る。本発明のティッシュボックスカバー1は、厚紙や合成樹脂、アルミニウム板など任意の材料を用いて成形や組み立てにより作成することができる。
【００１５】
このカバー本体部2は、ティッシュボックスより一回り大きいサイズとされる２枚の長手側板21と２枚の短手側板22及び天板23で構成される。
天板23には、開口部24が設けられる。この開口部24は、図２に示したように、後述する装飾台4に設けられる取出口41の下方に位置するように設けられ、ティッシュボックス7から引き出したティッシュペーパー8を開口部24及び取出口41を通して引き出すことができるようにしている。
【００１６】
また、左右の短手側板22には、図１に示したように、任意に貫通孔25を設け、ティッシュボックスカバー1を持ち運ぶための持ち手部とすることができる。更に、図２に示したように、カバー本体部2の底部開口面には、ティッシュボックス7がカバー本体部2の内部から脱落しないように、弾性バンド帯26が前後の長手側板21の下端中央付近に端部を固定して取り付けられている。尚、弾性バンド帯26は左右の短手側板22の下端中央付近に取り付けることもある。
【００１７】
装飾部3は、図１乃至図３に示すように、装飾台4と、該装飾台4を囲む後壁体51、左壁体52及び右壁体53と、鏡体6とで構成される。装飾台4は前記カバー本体部2の上方に配置され、また、後壁体51、左壁体52及び右壁体53は前方及び上方を開放するように立設されて装飾台4を囲み、鏡体6は該装飾台4の下方に配置されている。
【００１８】
この装飾台4は板状であり、図３に示すように、板面にはティシュペーパー8を取り出すための上下に貫通した取出口41が設けられている。該装飾台4は、長辺と短辺の長さの比（長辺：短辺）がほぼ２：１の長方形状とし、長辺側が前記カバー本体部2の長辺側と平行する状態で配置されている。
【００１９】
また、装飾台4の取出口41には、図１に示したように、シルクハットの形状を模した上下に貫通した装飾体31を取り付けている。該装飾体31は、使用者の興味を引き興趣性を与えるものであれば任意の形状とすることができる。
【００２０】
そして鏡体6は、表面が光反射する平板状の板状物であり、鏡や合成樹脂製の薄板の表面にアルミ箔を接着したものなどが利用できる。該鏡体6は、図３及び図４に示すように、鏡面を外側にして略９０°（鏡面間では略２７０°）の角度に折り曲げ、鏡面が手前を向くように鏡体6の左右の端辺を装飾台4の奥側の角部付近にそれぞれ合わせ、折曲部分を手前側長辺の中央付近に合わせるようにして装飾台4の下面に取り付けられている。
【００２１】
ここで、鏡体6は、装飾台4に設けられた取出口41よりも手前側に位置するように配置されている。
また、図３及び図４に示したように、鏡体6の左右の両端間に嵌め合うようにして装飾台4の下面の奥側長辺に沿って、隠し壁43が取り付けられている。
【００２２】
更に、装飾台4の下面には脚部42が取り付けられている。これは、装飾台4を机の装飾物に見立て、カバー本体部2上に机が置かれているように見せるためである。脚部42は、図３及び図４に示したように、装飾台4の下面に取り付けられた鏡体6の折曲部分及び左右の端辺を覆う位置、並びに装飾台4の手前側の左右角部に、それぞれ取り付けられている。装飾台4の手前側の左右角部に取り付けられた脚部42は、右側の脚部42が鏡体6の右半面に、左側の脚部42が鏡体6の左半面にそれぞれ映り、正面側のいずれの方向から見ても、鏡体6の折曲部分に取り付けられた脚部42の奥、即ち奥側長辺の中央付近に脚部42が見えるようになっている。
【００２３】
そして、後壁体51、左壁体52及び右壁体53は、後壁体51が前記装飾台4の後方に、左壁体52と右壁体53が装飾台4の左右にそれぞれ配置され、互いの壁体縁部を接着して壁体5を構成している。また、正面側から見て装飾台4全体が十分に目視可能であれば、図３及び図４に示すように、左壁体52と右壁体53の前端縁部から内側に向かう小壁体54を備えても良い。小壁体54を備えることで、装飾台4が前方から見える範囲を不自然に見せることなく制限し、装飾部3や装飾台4をカバー本体部2の形状に合わせるように横法に長くすることができ、且つ、左壁体52及び右壁体53を安定させて立設することができる。
【００２４】
この後壁体51は、左壁体52及び右壁体53よりも僅かに大きな長さとしたり、又は、ほぼ同一の大きさとし、後壁体51及び左壁体52と右壁体53とは同一高さとして、装飾台4の上面つまり鏡体6の高さと装飾台4の厚み分よりも高くしている。これは、装飾台4の下方に配置された鏡体6が該装飾台4を囲う壁体5の外側を映すのを防ぎ、壁体5の内壁のみを映すようにするためである。
【００２５】
また、後壁体51及び左壁体52と右壁体53の内側の壁体には、図１に示したように、鏡体6に映ったときに反転しても模様が変化して見えることの無い模様が施されている。
【００２６】
更に、装飾台4は、図３及び図４に示すように、後壁体51寄りに配置され、鏡体6の鏡面の左半面が左壁体52と後壁体51との対称面となる位置に左壁体52を、鏡体6の鏡面の右半面がと右壁体53と後壁体51との対称面となる位置に右壁体53を配置している。
【００２７】
従って、鏡体6は、鏡面を外側にして略９０°の角度に折り曲げ、左右の端辺を装飾台4の奥側の角部付近にそれぞれ合わせているため、後壁体51は鏡体6の左半面と右半面に対して略４５°の角度で配置されることとなり、鏡体6の左半面及び右半面を対称面として配置された左壁体52及び右壁体53は、それぞれ後壁体51に対してほぼ直角となるように配置されている。
【００２８】
また、本発明のティッシュボックスカバー1は、図２及び図４に示すように、カバー本体部2の天板23に設けられた開口部24と装飾台4に設けられた取出口41とを連結する筒状の連結部材44を備えている。この連結部材44は上下が開口した筒状の部材であり、前記鏡体6の後ろ側に配置されて、取出口41とカバー本体部2の天板23に設けられた開口部24を連結する。連結部材44を備えることで、開口部24から引き入れたティッシュペーパーを取出口41からスムーズに取り出すことができる。
【００２９】
上述のように構成配置した装飾部3を、カバー本体部2の上面、即ち天板23上に、装飾台4の取出口41と天板23の開口部24が相対するように載置固定する。この装飾部3において、鏡体6は装飾台4を支えると共に、該装飾台4を囲う左壁体52と右壁体53の内壁を映し、左壁体52と右壁体53は、鏡体6により後壁体51と面対称となるように配置されているため、鏡体6の鏡面に映った左壁体52及び右壁体53の内壁は後壁体51の内壁と重なり、一見して後壁体51の内壁が見えているような錯覚を与えることとなる。
【００３０】
尚、本発明において壁体5で囲われるカバー本体部2の上面には、図１に示したように、鏡体6に映ったときに反転しても模様が変化して見えることの無い模様を施しておく。こうすることでカバー本体部2の上面と接した鏡体6の縁を偽装して見えにくくすることができるとともに、装飾効果を高めることもできる。
【００３１】
上記したように組み立てた本発明のティッシュボックスカバー1は、外見上、ティッシュボックス7を収容するカバー本体部2の上に６本脚の机が載置され、その机の上面にはシルクハットの形状をした装飾体が載置されているように見える。
【００３２】
また、このティッシュボックスカバー1には、装飾体31と関連のある飾り部材32をカバー本体部2上や装飾台4などに配置することができ、例えば、図１に示すようにシルクハットと関連のあるマジシャンを模ったパネルを飾り部材32としてカバー本体部2上に配置する。このようにマジシャンを模った飾り部材32を配置することで、カバー本体部2をステージに見立て、机の上に置かれた小さなシルクハットの中からティッシュペーパー8をマジシャンが次々に出現させるように見せるという演出ができる。
【００３３】
次に、このティッシュボックスカバー1の使用について説明する。
まず、ティッシュペーパー8の先端をカバー本体部2の開口部24から連結部材44内に導入した状態でティッシュボックス7を本発明のティッシュボックスカバー1に収容する。次に、装飾体31の上部開口からティッシュペーパー8を引き出す。この時、ティッシュペーパー8は、図２に示されるように、開口部24から連結部材44、取出口41、装飾体31を通って引き出されている。
【００３４】
このようにティッシュボックス7を収容したティッシュボックスカバー1を正面から見ると、鏡体6が左壁体52と右壁体53の内壁を映し出しているため後壁体51の内壁と重なって見え、ティッシュペーパー8は該鏡体6の後方に配置された連結部材44を通って引き出されるため、机の上に置かれた装飾体31からティッシュペーパーが飛び出しているような錯覚を与えることができる。
【００３５】
この実施形態において、装飾台4は、後壁体51、左壁体52又は右壁体53の内壁に接触する状態で配置されても良いが、壁体5と装飾台4がそれぞれ独立して配置されている印象を与えるため、間隙を設けて配置する。このように装飾台4を配置することにより、装飾台4下方に擬似空間が現れ、何もない空間にある装飾台4からティッシュペーパー8が飛び出しているような錯覚を与えることができる。
【００３６】
更に、左壁体52や右壁体53は、鏡体6の鏡面と向かい合う壁体が鏡体6の平面を対称面として後壁体51と面対称となるように配置されれば良いものである。従って、鏡体6を直線的な平面鏡として装飾台4の右端近傍から左端近傍までとし、この鏡体6の鏡面を正面に向けて斜めとして略正方形の装飾台4の対角線に沿うように配置することもできる。
【００３７】
そして正面側から見て左壁体52側に鏡面が向くように鏡体6を配置した場合は、左壁体52を鏡体6の平面を対称面として後壁体51と面対称に配置し、鏡体6には左壁体52のみを映すようにする。又、鏡体6に右壁体53のみを映すようにして右壁体53と後壁体51とを鏡体6の鏡面に対して面対称とすることもある。
【００３８】
また、後壁体51と左壁体52又は右壁体53に対して４５°の角度で配置される鏡体6を装飾台4の略中央から装飾台4の左端又は右端までとし、この鏡体6の中央側端部から後壁体51の方向に後壁体51と９０°の角度とする鏡体6を設けることもある。
【００３９】
この場合、後壁体51と９０°の角度とする鏡体6には、前方から見ると後壁体51が映し出され、左壁体52又は右壁体53に対して４５°とした鏡体6には左壁体52又は右壁体53が映し出され、この鏡体6に映し出された後壁体51や左壁体52又は右壁体53を現実の後壁体51と錯覚させるものである。
【００４０】
そして、後壁体51、左壁体52及び右壁体53は装飾台4を囲み鏡体6により面対称とできるものであれば、後壁体51、左壁体52及び右壁体53は平面に限るものではない。例えば、後壁体51を中央が後方に突出した上面視山形の壁体として配置し、左壁体52と右壁体53を中央で各々左右に突出させるくの字形として鏡体6の平面で後壁体51の面対称となる形状にすることもできる。
【００４１】
また、装飾体31はシルクハットに限定するものではなく、例えば図５に示すように、装飾体31として小さなティッシュボックスを取り付け、ティッシュボックスカバー1の上に載置された机の上に置かれた小さなティッシュボックスからティッシュペーパー8を次々に取り出すように演出することもでき、更に、単に取出口41を設けた装飾台4を配置して装飾体31を省略することもある。
【００４２】
更に、装飾体31と連結部材44を一体形成して取出口41に挿入するように構成しても良い。このようにすることで、部品数が少なくなり、製造コストも安くなる。
【図面の簡単な説明】
【００４３】
【図１】本発明の第１実施形態のティッシュボックスカバーの斜視図である。
【図２】図１のティッシュボックスカバーの中央部分の縦断面図である。
【図３】図１のティッシュボックスカバーの装飾部の構成を示す図である。
【図４】図１のティッシュボックスカバーの装飾部の水平断面図である。
【図５】本発明の第２実施形態のティッシュボックスカバーの斜視図である。
【符号の説明】
【００４４】
１    ティッシュボックスカバー
２    カバー本体部
３    装飾部
４    装飾台
５    壁体
６    鏡体
７    ティッシュボックス
８    ティッシュペーパー
２１  長手側板
２２  短手側板
２３  天板
２４  開口部
２５  貫通孔
２６  弾性バンド帯
３１  装飾体
３２  飾り部材
４１  取出口
４２  脚部
４３  隠し壁
４４  連結部材
５１  後壁体
５２  左壁体
５３  右壁体
５４  小壁体
【図１】
2008024319.tif 000003
【図２】
2008024319.tif 000004
【図３】
2008024319.tif 000005
【図４】
2008024319.tif 000006
【図５】
2008024319.tif 000007